(57)【特許請求の範囲】
【請求項１】
容器の口部に固定保持されるベースと、このベースにつながり、密閉栓を破断分離することによって開口部を形成して容器内の内容物を該開口部を通して注出する注出筒と、を備えたノズル部材と、前記ノズル部材を覆い隠すオーバーキャップとを備えた容器用注出器であって、
前記ベースと前記注出筒との相互間に、前記注出筒の基端に一体連結して弾性的な反転により前記注出筒をその先端部へ向けて移動可能な環状帯を設け、
前記オーバーキャップに、前記密閉栓に離脱不能に連係する係止片と、内側空間領域に密閉栓を収めるとともに前記開口部の内側壁に摺動可能に嵌合して該開口部を封止する格納シール壁を設けたことを特徴とする容器用注出器。
【請求項２】
前記ベース又は前記環状帯に、前記環状帯の反転に際して該環状帯又は該ベースの内側壁に当接して該環状帯の反転姿勢を維持する少なくとも一つのリブを設けた、請求項１記載の容器用注出器。
【発明の詳細な説明】
【技術分野】
【０００１】
本発明は、密閉栓を引きちぎって開封することにより容器内の内容物の注出を可能とするバージンタイプの注出器に関するものであり、ゴミ（密閉栓）が生じることなしに簡単な操作で開封し開封後の容器を確実に密封しようとするものである。
【背景技術】
【０００２】
シャンプーやリンス、整髪剤、化粧料、調味料等を入れるハンディタイプの容器には、不正な開封を防止することを目的としてプルリング付きの密封栓を破断予定線に沿って引きちぎることで開封するバージンタイプのノズル部材と、このノズル部材を覆うオーバーキャップとから構成される注出器が使用されている（例えば、特許文献１参照）が、この種の注出器は、開封時に引きちぎられた密封栓がゴミとなるのが不可避であり、しかも、密封栓の引きちぎりによってノズル部材はその高さ方向における寸法が変わるようなことがある場合には、シール性に影響を与えることも懸念され、未だ改善の余地が残されているのが現状であった。
【先行技術文献】
【特許文献】
【０００３】
【特許文献１】実公昭５６−４０６８７号公報
【発明の概要】
【発明が解決しようとする課題】
【０００４】
本発明の課題は、ゴミが生じることなしに簡便に開封することができ、しかも開封後の容器を確実に密封して容器内に残されている内容物の品質を長期にわたって維持できるシール性の改善された容器用注出器を提案するところにある。
【課題を解決するための手段】
【０００５】
本発明は、容器の口部に固定保持されるベースと、このベースにつながり、密閉栓を破断分離することによって開口部を形成して容器内の内容物を該開口部を通して注出する注出筒と、を備えたノズル部材と、このノズル部材を覆い隠すオーバーキャップとを備えた容器用注出器であって、
前記ベースと前記注出筒との相互間に、前記注出筒の基端に一体連結し弾性的な反転により前記注出筒をその先端部へ向けて移動可能な環状帯を設け、
前記オーバーキャップに、前記密閉栓に離脱不能に連係する係止片と、内側空間領域に密閉栓を収めるとともに前記開口部の内側壁に摺動可能に嵌合して該開口部を封止する格納シール壁を設けたことを特徴とする容器用注出器である。
【０００６】
前記ベース又は前記環状帯には、前記環状帯の反転に際して該環状帯又は該ベースの内側壁に当接して該該環状帯の反転姿勢を維持する少なくとも一つのリブを設けることができる。
【発明の効果】
【０００７】
オーバーキャップを取り外すだけの１アクションで密閉栓を破断分離して（実際には引きちぎる状態をいうものとする。）開封することができ、その際、引きちぎられた密閉栓はオーバーキャップの内側に固定保持されることとなり、開封に際してゴミが生じることがない。
【０００８】
また、通常、ノズル部材の上端縁に連結された密閉栓を引きちぎると、該密閉栓の分だけノズル部材の高さ方向における寸法が変わるため、とくにオーバーキャップを装着するような注出器において、該オーバーキャップの一部分をノズル部材の開口部に適合させてシールするタイプのものにあっては、確実なシールができないことも懸念される。これに対し本発明の注出器は、環状帯の反転にてノズル部材の注出筒が上方に移動することができるようになっているため、密封栓の引きちぎりにより寸法が変動しても、その分の寸法を補完することが可能でありオーバーキャップの内側に設けられた格納シール壁を、注出筒の開口部に確実に嵌合（内嵌）させて高いシール性を安定的に確保し得る。
【図面の簡単な説明】
【０００９】
【図１】本発明にしたがう容器用注出器の実施の形態を容器に取り付けた状態で示した図である。
【図２】図１に示した注出器につき、オーバーキャップを取り付ける前の状態を示した外観斜視図である。
【図３】図１に示した注出器につき、オーバーキャップを取り付ける前の状態を示した要部の拡大図である。
【図４】ノズル部材の密閉栓を引きちぎった状態を示した図である。
【図５】開封後における容器の封止状態を示した図である。
【発明を実施するための形態】
【００１０】
以下、図面を参照して本発明をより具体的に説明する。
図１は、本発明にしたがう注出器を容器の口部に取り付けた状態（流通状態）で示した全体図であり、図２は、図１に示した注出器（オーバーキャップを除いたノズル部材のみを表示）の外観斜視図であり、図３は、オーバーキャップの取り付け前の状態を示した図である。
【００１１】
図における符号１は、内容物を充填した容器である。この容器１は、胴部を押し潰して容器内の内容物を強制的に排出することが可能なスクイズ式の容器等が適用される（それ以外の容器であってもよい。）。
【００１２】
また、２は、容器１の口部１ａに装着されたベースである。このベース２は、容器１の口部１ａを取り囲み、該口部１ａの外側面に設けられたねじ部あるいはアンダーカットによって着脱自在に係合可能な外周壁２ａと、この外周壁２ａとの協働によって下向きに開放された環状溝部ｍを形成するとともに容器１の口部１ａの内側に嵌合する内周壁２ｂと、この内周壁２ｂの上端部に一体連結して起立する筒体２ｃから構成されている。
【００１３】
また、３は、容器１内の内容物を注出する経路を形成するリップ付きの注出筒である。この注出筒３は、容器の開封前においては密閉栓によってその先端部の開口部３ａが閉塞されている。ただし、注出筒３の下端部や中間部に密閉栓を配置してもよい。
【００１４】
４は注出筒３の先端部（上端部）に破断予定線（細溝によって形成された薄肉部分）ｓを介して一体的につながる密閉栓である。この密閉栓４は、それそのものを引っ張ることにより破断予定線ｓに沿って引きちぎることができるようになっており、ベース２の筒体２ｃの内径よりも若干小さな径を有する基部４ａと、この基部４ａの上部において立ち上がる短尺筒部４ｂと、この短尺筒部４ｂの上部に一体連結する円形の板状体４ｃからなっている。板状体４ｃの径は、短尺筒部４ｂの径よりもやや大きくその境界には段部４ｄ（図３参照）が形成されている。密閉栓４の基部４ａにおける下端外縁が破断予定線ｓを介して注出筒３の上端内縁に接続されている。
【００１５】
また、５は、ベース２の筒体２ｃの上端部と注出筒３との相互間に一対のヒンジ部ｈを介して一体連結した環状帯である。この環状帯５は、ヒンジ部ｈを起点にして弾性的に反転させることができるものであって、容器の開封前は、該環状帯５の内端（注出筒３の下端部に接続している部位に対応）が下側に向いた状態にあるが、該環状帯５の反転により該内端が上側に向くと、それに伴い該注出筒３が上方へ（図４に示した状態）と移動する。本発明においては、前記ベース２、前記注出筒３および前記環状帯５によって注出器のノズル部Ｎを構成する。
【００１６】
６は、注出筒３をベース２とともに覆い隠すオーバーキャップである。このオーバーキャプ６は、注出筒３、ベース２、さらに容器１の肩部を取り囲む周壁６ａと、この周壁６ａの上端部に一体連結する天面壁６ｂから構成されている。
【００１７】
７は、オーバーキャップ６の天面壁６ｂの中央部に設けられた貫通孔である。この貫通孔７は、密閉栓４の板状体４ｃが嵌り込む開口径を有している。
【００１８】
８は、オーバーキャップ６の天面壁６ｂの下面で貫通孔７を取り囲むように一体的に設けられた垂下筒である。この垂下筒８は、ベース２の筒体２ｃの外側面に設けられたねじ部あるいはアンダーカット（図示のものはねじ部で表示してある。）によって前記筒体２ｃと係合するものであり、この垂下筒８と、ベース２の筒体２ｃとを相互に係合させることによってオーバーキャップ６を容器１に固定し、該垂下筒８とベース２の筒体２ｃとの係合を解除することによって該オーバーキャップ６の取り外しを可能としている。
【００１９】
９は、オーバーキャップ６の天面壁６ｂの下面で垂下筒８の内側において一体的に設けられた環状の格納シール壁である。この格納シール壁９は、密閉栓４の全体を嵌合状態で入れ込むことができる内径及び長さを有しており、該密閉栓４の全体を格納シール壁９の内側空間領域に入れ込むことで液密状態を保ちつつ板状体４ｃを貫通孔７から面一状態（面と面が一致している状態をいう。）にて露出させる。また、格納シール壁９の外径については注出筒３の内周面に液密状態を保った状態で摺動可能に嵌合する寸法に設定されている。
【００２０】
１０は、貫通孔７の周りに設けられた複数の係止片である（図３参照）。この係止片１０は、密閉栓４が格納シール壁９内に収まった状態において簡単に引き抜くことができない返り爪１０ａを有しており、密閉栓４の段部４ｄにおいて離脱不能に連係（引っ掛かる）することにより格納シール壁９からの密閉栓４の抜け出しを防止している。
【００２１】
さらに、１１は、環状帯５の下面に等間隔（例えば９０°）で設けられたリブ、１２は、ベース２の筒体２ｃの内周壁に設けられた当接リブである。該リブ１１は環状帯５の内端が下方に向いている初期姿勢でもって当接リブ１２に突き当たって該環状帯５の姿勢をそのまま維持する機能を有する。該リブ１１については、ベース２の筒体２ｃに設けてもよく、この場合、当接リブ１２は環状帯５に設ける。
【００２２】
上記の構成からなる注出器は、商品として流通している段階では、上掲図１に示すような状態にある。容器を開封すべく、オーバーキャップ６を回動させてねじによる係合を解除するか、あるいはアンダーカットによる係合を解除すべくオーバーキャップ６を引き離すと、密封栓４は図４に示すように、環状帯５の内端が上方へ向くように反転した後、あるいは同時に、破断予定線ｓに沿って引きちぎられる。これにより注出筒３の開口部３ａを通して内容物の注出が可能となる。
【００２３】
開封後の容器を密封（再封）するには、オーバーキャップ６を取り付ければよく、これにより、図５に示すように、格納シール壁９が注出筒３の内側に液密状態で嵌合し、高いシール状態に維持される。
【００２４】
また、例えば、密封栓４の基部４ａの外縁部が当該格納シール壁９の内周面に液密状態で係合しているため、ノズル部材Ｎを液密状態で再封することができる。
【００２５】
オーバーキャップ６の取り付けに際しては、注出筒３の先端部を強い力で押し込まないことが肝要（そのため螺着により取り付けるものが好ましい。）であり、密閉栓４の引きちぎりによりノズル部材Ｎの高さ方向の寸法が変動しても、環状帯５はそのままの姿勢に保たれる結果として格納シール壁９との十分な嵌合代が確保される。
【００２６】
本発明にしたがう注出器は、密封栓４が引きちぎられてもノズル部材の高さ寸法は実質的に変動しないため、容器１の肩部と胴部の境界部近傍域に環状の段差ｅを形成して該オーバーキャップ６の下端を、容器の開封前後にかかわらず確実に当接させてその位置決めと密封を行うことが可能であり、とくに容器が開封された状態にあってはオーバーキャップ６の下端において形成される隙間からゴミや埃あるいは水分等の侵入を防止することができる利点がある。
【００２７】
本発明の実施の形態では、オーバーキャップ６の天面壁６ｂに貫通孔７を設けて密閉栓４を面一状態で露出させる場合について示したが、板状体４ｃは貫通孔７から突出してもよく、これにより密閉栓４が格納シール壁９内に確実に収まっているかどうか目視による確認がし易くなる。
【産業上の利用可能性】
【００２８】
ゴミが生じることなしに簡便に開封し、開封後においては高いシール状態に保持可能な構造の簡素化された容器用注出器が提供できる。
【符号の説明】
【００２９】
１      容器
１ａ    口部
２      ベース
２ａ    外周壁
２ｂ    内周壁
２ｃ    筒体
３      注出筒
３ａ    開口部
４      密閉栓
４ａ    基部
４ｂ    短尺筒部
４ｃ    板状体
４ｄ    段部
５      環状帯
６      オーバーキャップ
６ａ    周壁
６ｂ    天面壁
７      貫通孔
８      垂下筒
９      格納シール壁
１０    係止片
１０ａ  返り爪
１１    リブ
１２    当接リブ
ｍ      環状溝部
Ｎ      ノズル部材
ｓ      破断予定線
ｈ      ヒンジ部
ｅ      段差
【図１】
0005415351.tif 000002
【図２】
0005415351.tif 000003
【図３】
0005415351.tif 000004
【図４】
0005415351.tif 000005
【図５】
0005415351.tif 000006